(57)【要約】本発明は、防煙垂壁用スクリーン装置に関するものであり、その目的は、人の移動が可能な通路または階段などの天井に設置されて、火事発生時に作動することによって防煙スクリーンが底に近接されるように具備されることで、有害ガスから人命を保護可能にさせたものにあり、このような目的は天井に設置されて、火事時に発生される有害ガスを感知するために具備される感知部と、天井に一端が固定されて、他端は自由端を有する防煙垂壁の一面に電源印加に対応されるように係止用部材が移動可能に固定具備される作動手段と、前記防煙垂壁に一端が固定されて他端は、作動手段の駆動に対応されるように係止解除可能に具備される収容部材と、該収容部材に収容されるように一端が固定連結されて、前記作動手段の作動に対応されるように開かれることによって有害ガスの移動を遮断させて避難者の移動が可能になるように具備される防煙用スクリーン部材と、前記感知部から感知されて印加された信号に対応されるように前記作動手段を制御するために具備される制御部を含んでなされたことを特徴とすることによって達成される。
2012503521.tif 000002
【特許請求の範囲】
【請求項１】
火事時に発生される有害ガスの移動を遮断して、避難者の移動は可能になるように通路の天井に設置される防煙垂壁用スクリーン装置を構成するにおいて、天井に設置されて火事時に発生される有害ガスを感知するために具備される感知部と、天井に一端が固定されて、他端は自由端を有する防煙垂壁の一面に電源印加に対応されるように、係止用部材が移動可能に固定具備される作動手段と、前記防煙垂壁に一端が固定されて、他端は作動手段の駆動に対応されるように係止解除可能に具備される収容部材と、該収容部材に収容されるように一端が固定連結されて、前記作動手段の作動に対応されるように開かれることによって有害ガスの移動を遮断させて避難者の移動が可能になるように具備される防煙用スクリーン部材と、前記感知部から感知されて印加された信号に対応されるように前記作動手段を制御するために具備される制御部と、を含んでなされることを特徴とする防煙垂壁用スクリーン装置。
【請求項２】
前記作動手段は、固定ブラケットの収容折曲片の外側面に固定されたハウジングに内設されて具備されるソレノイドと、該ソレノイドに一端が内設されて、他端は前記貫通ホールを貫通されて前記ソレノイドの駆動に対応されるように引、入出可能に具備されるが、他端は前記収容部材の他端をそれぞれ係止させるように一つまたは多数個の係止用突起が一定間隔に一体で突出形成された係止用部材でなされて、前記収容部材は防煙垂壁に一端が固定されて、他端は防煙用スクリーン部材を収容させて、前記作動手段の係止用部材に突出形成された係止用突起を貫通させるようにホールが形成されて具備されて、前記防煙用スクリーン部材は、単一の防煙用スクリーン片を複数個具備されることによって防煙用スクリーン部材を構成するように直四角形状の板で形成されて、一端は前記収容部材の一面に固定されて、他端は自由端で具備されるが、防煙用スクリーン片は開かれることによる有害ガスが容易に流入されないように一部をお互いに重畳されるように具備されると共に開かれることによる避難者が移動路を見られるように透明なポリエステル樹脂などで形成されて具備されたことを特徴とする請求項１に記載の防煙垂壁用スクリーン装置。
【請求項３】
前記作動手段は、ハウジングに移動可能に内設されるが、一端に係止突出部を一定間隔に複数個形成して、底面にラックギアを形成した移動部材と、前記ハウジングに内設されて前記移動部材の底面に一端が噛み合わされるウォームギアを形成した動力伝達部材と、該動力伝達部材の他端を連結させて制御部の制御に対応されるように駆動可能に具備される駆動モータでなされるか、または、ハウジングに移動可能に内設されるが、一端に係止用突部を多数個一体で形成して油圧または空圧の流入出に対応されるようにピストンを取り揃えてハウジングに内設された流入または空圧シリンダのうち何れか一つで構成されてなされることを特徴とする請求項１に記載の防煙垂壁用スクリーン装置。
【請求項４】
火事時に発生される有害ガスの移動を遮断して、避難者の移動は可能になるように通路の天井に設置される防煙垂壁用スクリーン装置を構成するにおいて、天井に設置されて火事時に発生される有害ガスを感知するために具備される感知部と、天井に一端が固定されて他端は自由端を有する防煙垂壁の一面に電源印加に対応されるように係止用部材が移動可能に固定具備される作動手段と、前記防煙垂壁に一端が固定されて、他端は作動手段の駆動に対応されるように係止解除されることによって防煙垂壁を延長させて有害ガスの移動を遮断させると共に避難者の移動が可能になるように具備される防煙用スクリーン部材と、前記感知部から感知されて印加された値に対応されるように前記作動手段を制御するために具備される制御部を含んでなされることを特徴とする防煙垂壁用スクリーン装置。
【請求項５】
前記作動手段は、固定ブラケットの収容折曲片の外側面に固定されたハウジングに内設されて具備されるソレノイドと、該ソレノイドに一端が内設されて、他端は前記貫通ホールを貫通されて前記ソレノイドの駆動に対応されるように引、入出可能に具備されるが、他端は前記収容部材の他端をそれぞれ係止させるように一つまたは多数個の係止用突起が一定間隔に一体で突出形成された係止用部材でなされて、前記防煙用スクリーン部材は単一の防煙用スクリーン片を複数個具備されることによって防煙用スクリーン部材を構成するように直四角形状の板で形成されて、一端は防煙垂壁に固定されて、他端は作動手段の係止用突起に係止されるように係止ホールが形成されれば、両側面は避難者の肌に傷害を防止するように曲面で形成されると共に作動手段の駆動に対応されるように開かれることによる避難者が移動路を見られるように透明なポリエステル樹脂などで形成されて具備されて、前記作動手段は、ハウジングに移動可能に内設されるが、一端に係止突出部を一定間隔に複数個形成して、底面にラックギアを形成した移動部材と、前記ハウジングに内設されて、前記移動部材の底面に一端が噛み合わされるウォームギアを形成した動力伝達部材と、該動力伝達部材の他端を連結させて制御部の制御に対応されるように駆動可能に具備される駆動モータでなされるか、または一端に係止用突部を多数個一体で形成して油圧または空圧の流入出に対応されるようにピストンを取り揃えて、ハウジングに内設された流入または空圧シリンダのうち何れか一つで構成されたもののうちから選ばれた何れか一つで構成されてなされることを特徴とする請求項４に記載の防煙垂壁用スクリーン装置。
【請求項６】
火事時に発生される有害ガスと共に移動される熱によって作動することによる通路を閉鎖させるようにした防煙垂壁用スクリーン装置を構成するにおいて、前記防煙垂壁の一面に一端が固定連結されて、他端は天井に固定された固定ハンガーに固定されて熱によって切れることが可能な感熱体に固定連結された収容部材と、該収容部材に一端が固定されて、他端は自由端で形成されて前記収容部材の他端に連結された感熱体が固定ハンガーに固定されることによって収容部材に収容可能に具備される防煙用スクリーン部材を含んでなされることを特徴とする防煙垂壁用スクリーン装置。
【請求項７】
前記した収容部材と、防煙用スクリーン部材は難燃性ポリエステル樹脂などでフレキシブルに形成されて具備されて、前記防煙用スクリーン部材は、単一の防煙用スクリーン板を複数個具備されることによって防煙用スクリーン部材を構成するように直四角形状の板で形成されて開かれることによる有害ガスが容易に通過されないように防煙用スクリーン板の一部をお互いに重畳されるように具備されたことを特徴とする請求項６に記載の防煙垂壁用スクリーン装置。
【請求項８】
前記感熱体は、溶融点が低い金属または低い温度で溶融される可溶合金（ｆｕｓｉｂｌｅ  ａｌｌｏｙ）で成形されて具備されるか、または熱によって膨張可能な熱膨脹液体が充填されたガラスバルブで構成されたもののうちから選ばれた何れか一つで構成されてなされることを特徴とする請求項６に記載の防煙垂壁用スクリーン装置。
【請求項９】
火事時に発生される有害ガスと共に移動される熱によって作動することによる通路を閉鎖させるようにした防煙垂壁用スクリーン装置を構成するにおいて、前記天井に一端が固定されるように設置された防煙垂壁の一面に一端が固定されて、他端は自由端を有する多数個の防煙用スクリーン板で構成された防煙用スクリーン部材と、前記防煙用スクリーン部材の防煙用スクリーン板が巻き可能に固定されるように中間部に一端がそれぞれ固定連結されて、他端は天井に固定された固定部に固定具備される感熱体を含んでなされることを特徴とする防煙垂壁用スクリーン装置。
【請求項１０】
前記感熱体は、溶融点が低い金属、または低い温度で溶融される可溶合金（ｆｕｓｉｂｌｅ  ａｌｌｏｙ）で成形されて具備されるか、または熱によって膨張可能な熱膨脹液体が充填されたガラスバルブで構成されるもののうちから何れか一つに具備されることを特徴とする請求項９に記載の防煙垂壁用スクリーン装置。
【請求項１１】
前記防煙用スクリーン部材は、難燃性ポリエステル樹脂などでフレキシブルに成形されて具備された単一の防煙用スクリーン板を複数個具備されることによって、防煙用スクリーン部材を構成するように直四角形状の板で形成されて開かれることによる有害ガスが容易に通過されないように防煙用スクリーン板の一部をお互いに重畳されるように具備されたことを特徴とする請求項９に記載の防煙垂壁用スクリーン装置。
【請求項１２】
火事時に発生される有害ガスと共に移動される熱によって作動することによる通路を閉鎖させるようにした防煙垂壁用スクリーン装置を構成するにおいて、前記天井に一端と他端が固定設置されたものであり、防煙垂壁用の壁を形成して開かれることによって末端が底に近接されるようにして有害ガスの移動を遮断させることができるように天井に固定された固定用壁と、該固定用壁の一面に一端がそれぞれ固定されて、他端は天井に固定された多数個の固定部にそれぞれ固定具備される感熱体に固定連結されることによって壁を形成するように多数個の防煙用スクリーン片で形成された防煙用スクリーン部材を含んでなされることを特徴とする防煙垂壁用スクリーン装置。
【請求項１３】
前記感熱体は、溶融点が低い金属または低い温度で溶融される可溶合金（ｆｕｓｉｂｌｅ  ａｌｌｏｙ）で成形されて具備されるか、または熱によって膨張可能な熱膨脹液体が充填されたガラスバルブで構成されるもののうちから選ばれた何れか一つで具備されることを特徴とする請求項１２に記載の防煙垂壁用スクリーン装置。
【請求項１４】
前記防煙用スクリーン部材は、難燃性ポリエステル樹脂などでフレキシブルに成形されて具備された単一の防煙用スクリーン板を複数個具備されることによって、防煙用スクリーン部材を構成するように直四角形状の板で形成されて開かれることによる有害ガスが容易に通過されないように防煙用スクリーン板の一部をお互いに重畳されるように具備されたことを特徴とする請求項１２に記載の防煙垂壁用スクリーン装置。
【請求項１５】
火事時に発生される煙と、これの煙と共に移動する熱によって作動することによる通路を閉鎖させて、煙の移動を遮断可能にさせた防煙垂壁用スクリーン装置において、天井に設置されて火事時に発生される煙を感知するために具備される感知部と、該感知部の感知された値に対応されるように印加される電源によって移動部材を移動可能に有する作動部と、該作動部の移動部材に他端が係止されて、一端は固定されて前記作動部の作動に対応されるように係止解除されると共に熱によって作動することによる底面に近接されるように開かれることができるように具備される防煙用スクリーン部材と、前記感知部から感知された値の印加を受けて、前記作動部を制御可能に具備される制御部を含んでなされることを特徴とする防煙垂壁用スクリーン装置。
【請求項１６】
前記作動部と防煙用スクリーン部材の一端を固定させるように上端が一方向折曲延長されて天井に固定される固定片を有する垂直片と、該垂直片の一面中央部に一方向延長されて下向き折曲されることによって空間部が形成されると共に前記作動部を固定設置するために移動用ホールが形成された折曲片で形成された防煙垂壁用ブラケットがさらに具備されることを特徴とする請求項１５に記載の防煙垂壁用スクリーン装置。
【請求項１７】
前記防煙垂壁用ブラケットに一端が固定された防煙用スクリーン部材は、前記防煙垂壁用ブラケットに一端が固定されて、他端は作動部の係止用部材に係止可能に形成されて、火事時に移動する熱によって短絡されることができる材質で成形されたかけ片を有する収容板に他端が自由端を有するように巻かれて収容具備されて、前記作動部は、前記防煙垂壁用ブラケットの折曲片に形成された移動用ホールを収容して固定されるケースと、該ケースに収容されて制御部から印加される電源供給に対応されるように駆動可能に具備されるソレノイドと、前記移動用ホールを一端が貫通して前記ソレノイドの作動に対応されるように前、後進移動可能に連結具備されるが、他端は防煙用スクリーン部材の他端をそれぞれ係止させるように多数個の係止片を一定間隔に突出形成した係止用部材でなされて、前記防煙用スクリーン部材は、難燃性樹脂でフレキシブルに成形されて、一端は垂直片の他端一面下部にそれぞれ固定された複数個のスクリーン板と、該スクリーン板の他端に一端が固定連結されるようにホールが形成されて、他端は前記作動部の係止用部材に形成された係止片にそれぞれ係止可能になるように係止ホールが形成されて具備されるかけ片で構成されるが、前記スクリーン板は、開かれるようになった時避難者の移動は可能で煙の移動は遮断させるようにお互いに一部が重なるように前記垂直板の下端一面に一端が固定されて、前記かけ片は、火事時に移動する熱によって速かに短絡可能になるように中央部は厚さが薄い、短絡片が形成されることを特徴とする請求項１６に記載の防煙垂壁用スクリーン装置。
【請求項１８】
火事時に発生される有害ガスの移動を遮断して、避難者の移動は可能になるように通路の天井に設置される防煙垂壁用スクリーン装置を構成するにおいて、階段の天井に設置されて火事時に発生される有害ガスの移動を遮断させるように天井に設置されて火事時に発生される有害ガスを感知するために具備される感知部と、該感知部が有害ガスを有することに対応されるように電源が印加されて作動可能になるように天井に固定可能に具備される作動手段と、該作動手段に一端が係止されて、他端は天井に固定されて前記作動手段の作動に対応されるように一端が回動可能に具備される回動手段と、該回動手段が回動することに対応されるように係止された状態で解除されて、一端が底面に近接されるように開かれるように一端が係止されて、他端は一端が天井に固定された固定ブラケットの他端に固定可能に具備される防煙用スクリーン部材と、前記感知部から感知された信号の印加を受けて前記作動手段軸で電源を印加可能になるように具備される制御部と、を含んでなされることを特徴とする防煙垂壁用スクリーン装置。
【請求項１９】
前記作動手段は、天井にスクリューを媒介に固定されるブラケットに内設されて、前記制御部から印加される電源によって前、後進作動される差動バーを有する作動部と、前記差動バーの一端に回動可能に連結されて中央下部は回動手段の支持バーを貫通させるように貫通孔が形成されて具備される作動用連結部材と、該作動用連結部材の他端に回転可能になるように連結されて外周面は前記回動手段を加圧支持可能に具備される加圧ローラで構成されて、前記回動手段は、天井に所定距離が離隔されて、一端がそれぞれ固定可能に具備される固定片と、該固定片の他端を両面内側に挿入させて具備されることによって前面に加圧ローラが支持されて、前記加圧ローラが移動することに対応されるように自重によって回転可能になるように両側面には挿入溝が形成されて、前面下端部には前記防煙用スクリーン部材を係止させることができるように一定間隔に多数個のかけ片が形成されて具備される回動部材と、前記固定片の中間部に両端がそれぞれ溶接によって連結されて、前記作動用連結部材の貫通孔を貫通可能に具備される支持バーで構成されて、前記防煙用スクリーン部材は、開かれることによる避難者が移動路を見られるように透明に具備されると共に避難者に傷害を加えないようにポリエステル樹脂などでフレキシブルに成形されて、前記回動部材の長さと同一な幅で具備されるが、他端は天井に固定された固定ブラケットに固定されて、一端は防煙用スクリーン部材が階段底に近接される部分まで開かれるものに対応されるように避難者が容易で速かに避難可能になるように一定間隔で切開されることによって多数個の防煙用スクリーン片が形成されて具備されて、前記防煙用スクリーン片の末端には回動部材のかけ片を貫通させて係止されるように係止ホールが穿孔されて具備されると共に前記それぞれの防煙用スクリーン片の中間部にはかけ片に係止させて防煙用スクリーン部材が設置されることによって通行者の移動を邪魔しないように係止用リングを固定させることができるように固定ホールがそれぞれ形成されて具備されたことを特徴とする請求項１８に記載の防煙垂壁用スクリーン装置。
【請求項２０】
前記作動手段は、スクリューを通じて天井に固定されるブラケットに内設されて、天井に設置された感知部から感知された信号の印加を受けることができるように天井に埋設されて具備される制御部から印加される電源によっての前、後進移動可能な差動バーを取り揃えて具備される作動部と、前記差動バーの一端にピンを媒介に回転可能に具備されて、一端が天井に固定されて、他端は自重によって回動可能に具備される回動手段の回動部材を加圧支持するように具備される加圧ローラで構成されたことを特徴とする請求項１８に記載の防煙垂壁用スクリーン装置。
【発明の詳細な説明】
【技術分野】
【０００１】
本発明は、防煙垂壁用スクリーン装置に関するものであり、より詳細には、建築物の通路または階段の天井に設置されて、火事発生時に出る有害ガスまたは有害ガスと共に移動される熱によって作動して、有害ガスの移動を効果的に遮断可能にさせることで、有害ガスによる窒息事故を防止可能にさせた防煙垂壁用スクリーン装置に関するものである。
【背景技術】
【０００２】
一般に、人々がたくさん往き来する地下鉄の駅、地下ショッピングモールなどのような建築物の通路または階段には火事時に発生される有害ガス（煙）の移動を遮断するための防煙垂壁が設置されている。
【０００３】
添付された図１は、地下鉄の駅内に設置された従来の一般的な防煙垂壁を示した概略的な断面図である。
図１に示すように火事発生時に有害ガスが階段を通じて上部に移動することを遮断するために天井Ａに一端が固定されて、階段Ｂの幅方向に防煙垂壁１０が固定設置される。
【０００４】
この時、前記防煙垂壁１０の他端と階段Ｂの底面の高さは人々の移動を考慮しておおよそ２Ｍ程度、すなわち、天井Ａからおおよそ７０〜８０ｃｍ高さで設置される。
よって、前記したところのように防煙垂壁１０が階段Ｂの底から高く設置されていることによって、火事発生時に発生される有害ガスが前記防煙垂壁１０によって遮られる時間が短くて有害ガスが流出されることによって、火事発生時に有害ガスによる窒息事故の危険を抱いている実情である。
【発明の概要】
【発明が解決しようとする課題】
【０００５】
これに、本発明は上述した問題点を解消するために案出されたものとして、人の移動が可能な通路または階段などの天井に設置されて火事発生時に作動することによって、防煙スクリーンが底に近接されるように具備されることで、有害ガスから人命を保護可能にさせた防煙垂壁用スクリーン装置を提供することにその目的がある。
【課題を解決するための手段】
【０００６】
前述した目的を達成するための本発明は、火事時に発生される有害ガスの移動を遮断して、避難者の移動は可能になるように通路の天井に設置される防煙垂壁用スクリーン装置を構成するにおいて、天井に設置されて火事時に発生される有害ガスを感知するために具備される感知部と、天井に一端が固定されて他端は自由端を有する防煙垂壁の一面に電源印加に対応されるように係止用部材が移動可能に固定具備される作動手段と、前記防煙垂壁に一端が固定されて他端は作動手段の駆動に対応されるように係止解除可能に具備される収容部材と、該収容部材に収容されるように一端が固定連結されて前記作動手段の作動に対応されるように開かれることによって有害ガスの移動を遮断させて、避難者の移動が可能になるように具備される防煙用スクリーン部材と、前記感知部から感知されて印加された信号に対応されるように前記作動手段を制御するために具備される制御部と、を含んでなされることを特徴とする。
【０００７】
また、前述した目的を達成するためのまた他の本発明は、火事時に発生される有害ガスの移動を遮断して、避難者の移動は可能になるように通路の天井に設置される防煙垂壁用スクリーン装置を構成するにおいて、天井に設置されて火事時に発生される有害ガスを感知するために具備される感知部と、天井に一端が固定されて他端は自由端を有する防煙垂壁の一面に電源印加に対応されるように係止用部材が移動可能に固定具備される作動手段と、前記防煙垂壁に一端が固定されて他端は作動手段の駆動に対応されるように係止解除されることによって防煙垂壁を延長させて、有害ガスの移動を遮断させると共に避難者の移動が可能になるように具備される防煙用スクリーン部材と、前記感知部から感知されて印加された信号に対応されるように前記作動手段を制御するために具備される制御部を含んでなされることを特徴とする。
【０００８】
ここで、前記した作動手段は、前記防煙垂壁の一面に一端が固定されて、他端は前記防煙垂壁の自由端と離隔されることによる空間部を形成するように具備された固定ブラケットによって固定されたことを特徴とする。
【発明の効果】
【０００９】
前記したところのように本発明による防煙垂壁用スクリーン装置によると、人の移動が可能な通路または階段などの天井に設置されて、火事発生時に有害ガスまたは熱によって作動することによる天井から底に近接するように防煙用スクリーン部材が設置されることで、有害ガスの移動を遮断すると共に避難者の移動が可能にさせて、有害ガスから人命を保護することができる効果がある。
【図面の簡単な説明】
【００１０】
【図１】従来の一般的な防煙用垂壁の設置状態を示した図面である。
【図２】本発明の第１実施例による防煙垂壁用スクリーン装置を示した図面である。
【図３】図２のＡ−Ａ’線による断面図である。
【図４】本発明の第１実施例による防煙垂壁用スクリーン装置の作動状態を示した図面である。
【図５】本発明の第２実施例による防煙垂壁用スクリーン装置を示した図面である。
【図６】図５のＢ−Ｂ’線による断面図である。
【図７】本発明の第２実施例による防煙垂壁用スクリーン装置の作動状態を示した図面である。
【図８】本発明の第３実施例による防煙垂壁用スクリーン装置を示した図面である。
【図９】図８の作動状態を示した図面である。
【図１０】本発明の第３実施例による防煙垂壁用スクリーン装置の防煙用スクリーン部材が開かれた状態を示した斜視図である。
【図１１】本発明の第４実施例による防煙垂壁用スクリーン装置を示した図面である。
【図１２】本発明の第５実施例による防煙垂壁用スクリーン装置を示した図面である。
【図１３】本発明の第６実施例による防煙垂壁用スクリーン装置を示した図面である。
【図１４】本発明の第６実施例による防煙垂壁用スクリーン装置の防煙用スクリーン部材が開かれた状態を示した斜視図である。
【図１５】図１３のＣ−Ｃ’線による断面図である。
【図１６】本発明の第６実施例による防煙垂壁用スクリーン装置の作動状態を示した図面である。
【図１７】本発明の第７実施例による防煙垂壁用スクリーン装置を示した図面である。
【図１８】本発明の第７実施例による防煙垂壁用スクリーン装置の作動状態を示した図面である。
【図１９】本発明の第８実施例による防煙垂壁用スクリーン装置を示した図面である。
【図２０】本発明の第８実施例による防煙垂壁用スクリーン装置の防煙用スクリーン部材が開かれた状態を示した斜視図である。
【図２１】図１９のＤ−Ｄ’線による断面図である。
【図２２】本発明の第８実施例による防煙垂壁用スクリーン装置の作動状態を示した図面である。
【図２３】本発明の第９実施例による防煙垂壁用スクリーン装置を示した図面である。
【図２４】本発明の第９実施例による防煙垂壁用スクリーン装置の作動状態を示した図面である。
【発明を実施するための形態】
【００１１】
以下では、本発明による防煙垂壁用スクリーン装置の一実施例を挙げて詳細に説明する。
まず、図面らのうち、同一な構成要素または部品らはできるだけ同一な参照符号を示していることに留意しなければならない。本発明を説明するにおいて、係わる公知機能、あるいは構成に対する具体的な説明は発明の要旨を曖昧ではないようにするために略する。
【００１２】
図面を説明する前に、本発明の基本的な概念は、火事時に発生された有害ガスまたは熱によって通路（階段）の一部を閉鎖させて、有害ガスの早い移動を遮断させると共に、人々の移動は自由にして有害ガスから人命を保護するようにしたことにあることを明らかにしておく。
【００１３】
次に、添付された図面を参照しながら上のような基本的な概念を有する本発明による防煙垂壁用スクリーン装置の望ましい実施様態を説明する。
添付された図面の図２は、本発明の第１実施例による防煙垂壁用スクリーン装置が階段に設置された状態を示した概略的な側面図であり、図３は図２のＡ−Ａ’線による断面図であり、図４は本発明の使用状態を示した図面である。
【００１４】
図示したところのように本発明による防煙垂壁用スクリーン装置１００は、階段Ｄの天井Ｃに設置されて、火事時に発生される有害ガスの移動を遮断させるように天井Ｃに設置されて、火事時に発生される有害ガスを感知するために具備される感知部１１０と、天井Ｃに一端が固定されて他端は自由端を有する防煙垂壁１２０の一面に電源印加に対応されるように係止用部材１３３が移動可能に固定具備される作動手段１３０と、前記防煙垂壁１２０に一端が固定されて他端は作動手段１３０の駆動に対応されるように係止解除可能に具備される収容部材１４０と、該収容部材１４０に収容されるように一端が固定連結されて、前記作動手段１３０の作動に対応されるように開かれることによって有害ガスの移動を遮断させて避難者の移動が可能になるように具備される防煙用スクリーン部材１５０と、前記感知部１００から感知されて印加された信号に対応されるように前記作動手段１３０を制御するために具備される制御部１６０を含んでなされる。
【００１５】
ここで、前記した作動手段１３０は、前記防煙垂壁１２０の一面に一端が固定されて他端は、前記自由端と離隔されることによる空間部を形成するように具備された固定ブラケット１７０によって固定される。
【００１６】
以下で前記した本発明の第１実施例による防煙垂壁用スクリーン装置に対してより詳細に説明すると次のようである。
すなわち、本発明の第１実施例による防煙垂壁用スクリーン装置１００の感知部１１０は、図２に示されたところのように火事時に発生される有害ガスを感知して、制御部１６０側に感知された信号を速かに印加できるように階段Ｄの天井Ｃに設置される。
【００１７】
前記した固定ブラケット１７０は、防煙垂壁１２０に固定設置されることによって前記作動手段１３０と防煙用スクリーン部材１５０を収容している収容部材１４０を設置可能になるように図２に示されたところのように前記防煙垂壁１２０の一面に固定される固定片１７１と、該固定片１７１から一方向及び下向き折曲されて、前記固定ブラケット１７０が防煙垂壁１２０に固定されることによって空間部１７３を形成するように形成された収容折曲片１７２で構成される。
【００１８】
また、前記収容折曲片１７３には前記作動手段１３０の係止用部材１３３を貫通させるように貫通ホール１７４が形成される。
前記した作動手段１３０は、制御部１６０の制御によって電源印加に対応されるように駆動して、収容部材１４０の他端を係止解除させるように構成される。
【００１９】
すなわち、図２及び図３に示されたところのように作動手段１３０は、前記固定ブラケット１７０の収容折曲片１７２外側面に固定されたハウジング１３１に内設されて具備されるソレノイド１３２と、該ソレノイド１３２に一端が内設されて、他端は前記貫通ホール１７４を貫通されて前記ソレノイド１３２の駆動に対応されるように引、入出ができるように具備されるが、他端は前記収容部材１４０の他端をそれぞれ係止させるように多数個の係止用突起１３４が一定間隔に一体で突出形成されて、フォーク形状の係止用部材１３３で構成される。
【００２０】
前記収容部材１４０は、図２及び図３に示されたところのように前記作動手段１３０に係止されることによって、前記防煙スクリーン部材１５０を収容して、併せて係止解除されることによって前記防煙スクリーン部材１５０が開かれるように一端は防煙垂壁１２０の一面に固定されて、他端は作動手段１３０に係止可能に具備される。
【００２１】
すなわち、前記収容部材１４０は防煙垂壁１２０の幅に対応されるように直四角形状に形成されて、一端は前記防煙垂壁１２０にボルト及びナットのような固定部材（図示せず）を通じて固定されて、他端は前記作動手段１３０の係止用部材１３３に突出形成された係止用突起１３４をそれぞれ貫通させるように多数個のホール１４１が形成されて具備される。
【００２２】
一方、前記した係止用部材１３３の係止用突起１３４と該係止用突起１３４に対応されるように収容部材１４０に形成されたホール１４１は、図３に示されたところのように均衡が取れているように係止させると共に重さを分散させるように多数個で形成しているが、一つの係止用突起とこれに対応されるように収容部材にも一つのホールで形成することもできる。
【００２３】
前記した防煙用スクリーン部材１５０は、図２乃至図４に示されたところのように前記作動手段１３０の駆動に対応されるように開かれることによって、階段（通路）底に近接される部分まで閉鎖させるが、避難者の移動が容易であるように構成される（図４参照）。
【００２４】
すなわち、防煙用スクリーン部材１５０は、単一の防煙用スクリーン片１５１を複数個具備することによって構成されて、前記防煙用スクリーン片１５１はポリエステル樹脂などでフレキシブルに直四角形状の板で形成されて、一端は前記収容部材１４０の一面に固定されて、他端は自由端で具備される。
【００２５】
また、前記防煙用スクリーン片１５１の長さ方向両側面は、避難者の肌に傷害を防止するように曲面で形成される。
併せて、図３に示されたところのように前記防煙用スクリーン部材１５０の防煙用スクリーン片１５１は、開かれることによる有害ガスが容易に流入されないように一部をお互いに重畳されるように具備される。
【００２６】
そして、前記した防煙用スクリーン部材１５０の防煙用スクリーン片１５１は、作動手段１３０の駆動に対応されるように開かれることによる避難者が移動路を見られるように透明に具備される。
【００２７】
添付された図面の図５は、本発明の第２実施例による防煙垂壁用スクリーン装置を示した図面であり、図６は図５のＢ−Ｂ’線による断面図であり、図７は使用状態を示した図面である。
【００２８】
図示したところのように本発明の第２実施例による防煙垂壁用スクリーン装置２００は、天井Ｃに設置されて火事時に発生される有害ガスを感知するために具備される感知部２１０と、天井Ｃに一端が固定されて、他端は自由端を有する防煙垂壁２２０の一面に電源印加に対応されるように係止用部材が移動可能に固定具備される作動手段２３０と、前記防煙垂壁２２０に一端が固定されて、他端は作動手段２３０の駆動に対応されるように係止解除されることによって、防煙垂壁２２０を延長させて有害ガスの移動を遮断させると共に避難者の移動が可能になるように具備される防煙用スクリーン部材２４０と、前記感知部２１０から感知されて印加された信号に対応されるように前記作動手段２３０を制御するために具備される制御部２５０と、を含んでなされる。
【００２９】
ここで、前記した作動手段２３０は、前記防煙垂壁２２０の一面に一端が固定されて、他端は前記自由端と離隔されることによる空間部２６３を形成するように具備された固定ブラケット２６０によって固定される。
【００３０】
以下で前記した本発明の第２実施例による防煙垂壁用スクリーン装置に対してより詳細に説明すると次のようである。
すなわち、本発明の第２実施例による防煙垂壁用スクリーン装置２００の感知部２１０は、図５に示されたところのように火事時に発生される有害ガスを感知して、制御部２５０側に感知された信号を速かに印加できるように階段Ｄの天井Ｃに設置される。
【００３１】
前記した固定ブラケット２６０は、防煙垂壁２２０に固定設置されることによって、前記作動手段２３０と防煙用スクリーン部材２４０を設置可能になるように図５に示されたところのように前記防煙垂壁２２０の一面に固定される固定片２６１と、該固定片２６１から一方向及び下向き折曲されて前記固定ブラケット２６０が防煙垂壁２２０に固定されることによって空間部２６３を形成するように形成された収容折曲片２６２で構成される。
【００３２】
また、前記収容折曲片２６２には前記作動手段２３０の係止用部材２３３を貫通させるように貫通ホール２６４が形成される。
前記した作動手段２３０は、制御部２５０の制御によって電源印加に対応されるように駆動して、空間部２６３に一端が防煙垂壁に固定された防煙用スクリーン部材２４０の他端を係止解除させるように構成される。
【００３３】
すなわち、図５及び図６に示されたところのように作動手段２３０は、前記固定ブラケット２６０の収容折曲片２６２外側面に固定されたハウジング２３１に内設されて具備されるソレノイド２３２と、該ソレノイド２３２に一端が内設されて、他端は前記貫通ホール２６４を貫通されて前記ソレノイド２３２の駆動に対応されるように引、入出可能に具備されるが、他端は前記防煙用スクリーン部材２４０の他端をそれぞれ係止させるように多数個の係止用突起２３４が一定間隔に一体で突出形成されて、フォーク形状の係止用部材２３３で構成される。
【００３４】
前記した防煙用スクリーン部材２４０は、図５乃至図７に示されたところのように前記作動手段２３０の駆動に対応されるように開かれることによって、階段Ｄ（通路）底に近接される部分まで閉鎖させるが、避難者の移動が容易であるように構成される
すなわち、防煙用スクリーン部材２４０は単一の防煙用スクリーン片２４１を複数個具備されることによって構成される。
【００３５】
前記防煙用スクリーン片２４１は、ポリエステル樹脂などでフレキシブルに直四角形状の板で形成されて、一端は防煙垂壁２２０に固定されて、他端は作動手段２３０の係止用突起２３４に係止されるように係止ホール２４２が形成されれば、両側面は避難者の肌に傷害を防止するように曲面で形成される。
【００３６】
また、図６に示されたところのように前記防煙用スクリーン部材２４０の防煙用スクリーン片２４１は、開かれることによる有害ガスが容易に流入されないように両側面の一部がお互いに重畳されるように具備される。
【００３７】
そして、前記係止ホール２４２には作動手段２３０の係止用突起２３４から防煙用スクリーン片２４１がそれぞれ容易に離脱可能になるようにリング部材（図面符号省略）が介されて具備される。
【００３８】
ここで、前記した防煙用スクリーン部材２４０の防煙用スクリーン片２４１作動手段２３０の駆動に対応されるように開かれることによる避難者が移動路を見られるように透明に具備される。
【００３９】
一方、前記した作動手段１３０、２３０は前記したところのように防煙用スクリーン部材１５０、２４０を係止させて駆動することによって解除させることができるように構成されるものであり、前記したところのようにソレノイドと、該ソレノイドに電源印加に対応されるように作動するように具備される係止用部材で構成しているが、これに限定するものではなくて、例えば、一端に係止突出部を一定間隔で複数個形成して、底面にラックギアを形成した移動部材と、該移動部材の底面に一端が噛み合わされるウォームギアを形成した動力伝達部材と、該動力伝達部材の他端を連結させて、制御部の制御に対応されるように駆動可能に具備される駆動モータで構成することもできて、また、一端に係止用突部を多数個一体で形成して油圧または空圧の流入出に対応されるようにピストンを有する油圧または空圧シリンダで構成することもできるところ、前記作動手段は防煙用スクリーン部材を係止させると共に駆動することによって、解除させることができるように構成されたものなら充分であろう。
【００４０】
このように構成された本発明の第１実施例による防煙垂壁用スクリーン装置１００の作動は、添付された図面の図２乃至図４に示されたところのように火事時に有害ガスが発生されれば、天井Ｃに有害ガスを感知するために具備された感知部１１０は、これを感知するようになる。
【００４１】
前記感知部１１０の感知によって制御部１６０は、固定ブラケット１７０に固定された作動手段１３０側で制御信号、すなわち、電源を印加するようになる。
電源印加によって前記作動手段１３０の係止用部材１３３は、ハウジング１３１に内設されたソレノイド１３２側に収容されるように移動するようになる。
【００４２】
前記係止用部材１３３が移動することによって係止用突起１３４に係止された収容部材１４０が係止解除される。
前記収容部材１４０が係止用突起１３４から係止解除されると共に図４に示されたところのように防煙用スクリーン部材１５０が階段Ｄの底に近接されるように開かれる。
【００４３】
このように防煙用スクリーン部材１５０が開かれることによって有害ガスは、防煙垂壁１２０だけでなく、底に近接されるように開かれた防煙用スクリーン部材１５０によって遮られる。
【００４４】
この時、避難者は開かれた透明なポリエステル樹脂で形成された防煙用スクリーン部材１５０の防煙用スクリーン片１５２を通じて進行方向の移動路を確保しながら移動すると良い。
【００４５】
よって、本発明の一実施例による防煙垂壁用スクリーン装置は、火事時に有害ガスの移動を遮断させると共に透明なポリエステル樹脂で形成された防煙用スクリーン部材を通過して安全で速かに避難者は避難移動することができるようになる。
【００４６】
また、本発明の第２実施例による防煙垂壁用スクリーン装置２００の作動は、前述した一実施例と同一であるので、それに対する作用説明は略することにする。
添付された図面の図８は、本発明の第３実施例による防煙垂壁用スクリーン装置が階段に設置された状態を示した概略的な側面図であり、図９は使用状態を示した側面図であり、図１０は使用状態を示した斜視図である。
【００４７】
図示したところのように本発明による防煙垂壁用スクリーン装置３００は、火事時に発生される有害ガスの移動を遮断して避難者の移動は可能になるように階段Ｄ通路の天井Ｃに設置されて、前記有害ガスと共に移動される熱によって作動することによる通路を閉鎖させるようにした装置であり、前記防煙垂壁３１０の一面に一端が固定連結されて、他端は天井Ｃに固定された固定ハンガー（図面符号省略）に固定されて、熱によって切れることができる感熱体３２０に固定連結された収容部材３３０と、該収容部材３３０の一端一面に一端が固定されて、他端は自由端に形成されて、前記収容部材３３０の他端に連結された感熱体３２０が固定ハンガーに固定されることによって、収容部材３３０に収容可能に具備される防煙用スクリーン部材３４０を含んでなされる。
【００４８】
ここで、前記した収容部材３３０と防煙用スクリーン部材３４０は、難燃性ポリエステル樹脂などでフレキシブルに成形されて具備される。
以下で、前記した本発明の第３実施例による防煙垂壁用スクリーン装置に対してより詳細に説明すると次のようである。
【００４９】
前記した本発明による防煙垂壁用スクリーン装置３００の収容部材３３０は、図８乃至図１０に示されたところのように防煙垂壁３１０に一端が固定されて、他端は感熱体３２０を固定連結させて、前記感熱体３２０が天井Ｃに固定された固定ハンガーに固定されることによる防煙用スクリーン部材３４０を収容して、火事発生による感熱体３２０が切れることによって前記防煙用スクリーン部材３４０が階段Ｄ底に近接されるように開かれるように構成される。
【００５０】
すなわち、前記した収容部材３３０の他端は、感熱体３２０の一端にボルト及びナットのようなもので構成された固定部材（図面符号省略）を利用して固定されて、一端は前記防煙垂壁３１０の一面に固定部材を媒介で前記防煙用スクリーン部材３４０を収容可能に固定具備される。
【００５１】
前記した感熱体３２０は、溶融点が低い金属または低い温度で溶融される可溶合金（ｆｕｓｉｂｌｅ  ａｌｌｏｙ）で成形（加工）されて具備される。
ここで、前記した感熱体は、熱によって短絡（切れ、破壞）されることによって、前記収容部材３３０を解除可能にさせた構成なら充分なものであり、熱膨脹液体（グリセリンまたはエーテル混合物）が充填されたガラスバルブを有する感熱体で構成することもできる。
【００５２】
前記した防煙用スクリーン部材３４０は、図８乃至図１０に示されたところのように前記感熱体３３０が切れることに対応されるように開かれることによって、階段Ｄ（通路）底に近接される部分まで閉鎖させるが、避難者の移動が容易であるように構成される。
【００５３】
すなわち、防煙用スクリーン部材３４０は、単一の防煙用スクリーン板３４１を複数個具備されることによって構成されて、前記防煙用スクリーン板３４１は難燃性ポリエステル樹脂などでフレキシブルに形成された直四角形状の板で形成されて、一端は前記収容部材３３０の一面に固定されて、他端は自由端で具備される。
【００５４】
また、前記防煙用スクリーン板３４１の長さ方向の両側面は、避難者の肌に傷害を防止するように曲面で形成される。
併せて、図９に示されたところのように前記防煙用スクリーン部材３４０の防煙用スクリーン板３４１は、開かれることによる有害ガスが容易に流入されないように一部をお互いに重畳されるように具備される。
【００５５】
そして、前記防煙用スクリーン部材３４０の防煙用スクリーン板３４１は、前記した感熱体３２０が切れることに対応されるように開かれることによって、避難者が移動路を見られるように透明に成形されて具備される。
【００５６】
一方、前記したところのように本発明による防煙垂壁用スクリーン装置３００は、収容部材３３０の中間部に具備された感熱体３２０が有害ガスと共に移動された熱気によって切れることに対応されるように防煙用スクリーン部材３４０が開かれるように構成されているが、これに限定するものではなくて、図１１に示されたところのように直接感熱体を防煙用スクリーン部材に固定連結させて構成することもできる。
【００５７】
すなわち、図１１に示されたところのように本発明の第４実施例による防煙垂壁用スクリーン装置４００は、天井Ｃに一端が固定されるように設置された防煙垂壁４１０の一面下端部にボルト及びナットで構成された固定部材（図面符号省略）によって固定されて、他端は自由端を有する多数個の防煙用スクリーン板４２１で構成された防煙用スクリーン部材４２０と、前記防煙用スクリーン部材４２０の防煙用スクリーン板４２１が巻き可能に固定されるように中間部に一端がそれぞれ固定連結されて、他端は天井Ｃに固定された固定部４３０にスクリュー（図面符号省略）を介にして固定具備される感熱体４４０で構成される。
【００５８】
ここで、前記した防煙用スクリーン部材４２０の防煙用スクリーン板４２１と感熱体４４０は、前記した本発明の第３実施例として説明した防煙用スクリーン板３４１及び感熱体３２０と同一に構成されるところ、それに対する詳細な説明は略することにする。
【００５９】
そして、本発明の第５実施例による防煙垂壁用スクリーン装置５００は、添付された図面の図１２のように構成することもできる。
すなわち、防煙用スクリーン部材を設置したものとして、防煙垂壁を形成して開かれることによって末端が底に近接されるようにして、有害ガスの移動を遮断させることができるように天井Ｃに固定された固定用壁５１０と、該固定用壁５１０の一面に一端が図面符号が省略されたボルト及びナットを媒介にしてそれぞれ固定されて、他端は天井に固定された多数個の固定部５２０にスクリューなどを通じてそれぞれ固定具備される感熱体５３０に固定連結されることによって壁を形成するように多数個の防煙用スクリーン片５４１で形成された防煙用スクリーン部材５４０で構成される。
【００６０】
ここで、前記した防煙用スクリーン部材５４０の防煙用スクリーン板５４１と感熱体５３０は、前記した本発明の第３実施例で説明した防煙用スクリーン板３４１及び感熱体３２０と同一に構成されるところ、それに対する詳細な説明は略することにする。
【００６１】
このように構成された本発明の第３実施例による防煙垂壁用スクリーン装置３００の作動は、添付された図面の図８乃至図１０に示されたところのように火事時に有害ガスと共に熱が移動されれば、収容部材３３０の他端と連結されて固定ハンガーに固定された感熱体３２０が熱によって切れるようになる。
【００６２】
前記感熱体３２０が切れると共に図９及び図１０に示されたところのように防煙用スクリーン部材３４０が階段Ｄの底に近接されるように開かれる。
このように防煙用スクリーン部材３５０が開かれることによって有害ガスは防煙垂壁３１０だけでなく、底に近接されるように開かれた防煙用スクリーン部材３４０によって遮られる。
【００６３】
この時、避難者は開かれた透明なポリエステル樹脂で形成された防煙用スクリーン部材３４０の防煙用スクリーン板３４１を通じて進行方向の移動路を確保しながら移動すると良い。
【００６４】
よって、本発明の一実施例による防煙垂壁用スクリーン装置は、火事時に有害ガスの移動を遮断させると共に透明なポリエステル樹脂で形成された防煙用スクリーン部材を通過して安全で速かに避難者は避難移動することができるようになる。
【００６５】
また、本発明の第４及び図５の実施例による防煙垂壁用スクリーン装置４００、５００の作動は、図１１及び図１２にそれぞれ示されたところのように熱によって感熱体４４０、５３０が切れることによって防煙用スクリーン部材４２０、５４０の防煙用スクリーン板４２１５４１が開かれるところ、前述した第３実施例と同一であるので、それに対する作用説明は略することにする。
【００６６】
添付された図面の図１３は、本発明の第６実施例による防煙垂壁用スクリーン装置が階段に設置された状態を示した概略的な側面図であり、図１４は防煙垂壁用ブラケットを示した斜視図であり、図１５は図１３のＣ−Ｃ’線による断面図であり、図１６は作動状態を示した側面図である。
【００６７】
図示したところのように、本発明による防煙垂壁用スクリーン装置６００は、人々の往来が多い通路または階段を有する建物の天井に幅方向で設置されて、火事時に煙を感知することによって作動可能にさせると同時に煙と共に移動する熱によって作動可能になるように構成される。
【００６８】
すなわち、本発明による防煙垂壁用スクリーン装置６００は、天井Ｃに設置されて火事時に発生される煙を感知するために具備される感知部６１０と、前記天井Ｃに一端が固定されて、他端は自由端を有する防煙垂壁用ブラケット６２０と、該防煙垂壁用ブラケット６２０の一面に固定具備されて、電源印加に対応されるように移動部材６３１を移動可能に有する作動部６３０と、前記防煙垂壁用ブラケット６２０の他面に一端が固定されて、他端は作動部６３０の移動部材６３１に係止されるが、前記作動部６３０の作動に対応されるように係止解除されると共に熱によって作動することによる底面Ｄに近接されるように開かれることができるように具備される防煙用スクリーン部材６４０と、前記感知部６１０から感知された信号の印加を受けて、前記作動部６３０を制御可能に具備される制御部６５０を含んでなされる。
【００６９】
ここで、前記制御部６５０は火事時に発生される熱気から保護可能になるように天井Ｃに埋設されて具備されることが望ましい。
以下で、前記した本発明の第６実施例による防煙垂壁用スクリーン装置に対してより詳細に説明すると次のようである。
【００７０】
先ず、本発明による防煙垂壁用スクリーン装置６００の感知部６１０は、火事時に発生される煙を感知して制御部６５０側に感知された信号を印加するために天井Ｃに露出するように設置される。
【００７１】
前記した防煙垂壁用ブラケット６２０は、一端は天井Ｃに固定されて、他端は自由端を有するようにして防煙垂壁用の壁の機能と共に前記作動部６３０と防煙用スクリーン部材６４０を設置可能になるように具備される。
【００７２】
すなわち、図１３乃至図１５に示されたところのように防煙垂壁用ブラケット６２０は、一端すなわち、上端に一方向折曲延長されて天井に固定される固定片６２１を有する垂直片６２２と、該垂直片６２２の一面中央部に一方向延長されて、下向き折曲されることによって空間部が形成されると共に前記作動部６３０を固定設置するために移動用ホール６２３ａが形成された折曲片６２３でなされる。
【００７３】
前記した作動部６３０は、前記防煙垂壁用ブラケット６２０の折曲片６２３外側面に固定されて、前記制御部６５０の制御によって印加される電源の供給を受けて、他端が係止固定された防煙用スクリーン部材６４０を係止解除させるように構成される。
【００７４】
すなわち、前記作動部６３０は、図１３及び図１５に示したところのように前記防煙垂壁用ブラケット６２０の折曲片６２３に形成された移動用ホール６２３ａを収容してボルト及びナットを媒介に固定されるケース６３２と、該ケース６３２に収容されて制御部６５０から印加される電源供給に対応されるように駆動可能に具備されるソレノイド６３３と、前記移動用ホール６２３ａを一端が貫通して前記ソレノイド６３３の作動に対応されるように前、後進移動可能に連結具備されるが、他端は防煙用スクリーン部材６４０の他端をそれぞれ係止させるように多数個の係止片６３１ａを一定間隔で突出形成したフォーク形状の係止用部材６３１でなされる。
【００７５】
一方、前記した作動部６３０は、ソレノイド６３３によって係止用部材６３１が移動可能になるように構成しているが、これに限定するものではなくて、油、空圧を利用して係止用部材を移動させることができるように構成することもできて、または、図面に示されていないが、ラックギアとピニオンギアを利用して構成することもできる。
【００７６】
すなわち、前記係止用部材の一端底面にラックギアを形成して、これのラックギアに噛み合わされるように一端にピニオンギアが形成された回転軸と、該回転軸の他端と連結されて固定片に収容されて電源印加に対応されるように正、逆駆動可能に具備される駆動モータで構成することもできる。
【００７７】
前記防煙用スクリーン部材６４０は、煙と熱によって作動部６３０から係止解除されることによって、階段の底面Ｄまで開かれることができるように構成して、火事発生時速かに煙の移動を閉鎖させることができるように構成される。
【００７８】
すなわち、図１３乃至図１５に示されたところのように防煙用スクリーン部材６４０は、避難者が視野を確保することができるように透明な難燃性塩化ビニル樹脂またはポリエステル樹脂などでフレキシブルに直四角形状の板で成形されて、一端はリベットのような固定ピンを媒介で垂直片６３２の他端一面の下部にそれぞれ固定された複数個のスクリーン板６４１と、該スクリーン板６４１の他端に一端がリベットを媒介で固定連結されるように図面符号が省略されたホールが形成されて、他端は前記作動部６３０の係止用部材６３１に形成された係止片６３１ａにそれぞれ係止可能になるように係止ホール６４２ａが形成されて具備されるかけ片６４２で構成される。
【００７９】
ここで、前記スクリーン板６４１は、図１４に示されたところのように前記スクリーン板６４１が開かれるようになった時煙の移動を遮断させるようにお互いに一部が重なるように前記垂直板６３２の下端一面に一端が固定される。
【００８０】
また、前記したかけ片６４２は、火事時に移動する熱によって短絡されることができる材質（例えば、ウッドメタル）で成形されるが、特に、中央部は図１４に示されたところのように前記かけ片６４２が熱によってより速かに短絡可能になるように厚さを薄く形成した短絡片６４２ｂが形成される。
【００８１】
一方、本発明の第６実施例による防煙垂壁用のスクリーン装置６００は、図１３乃至図１５に示されたところのように防煙用スクリーン部材６４０のスクリーン板６４１を直接作動部６３０に連結させるようにしているが、これに限定しないで添付された図面の図１７及び図１８に示されたところのように防煙用スクリーン部材７４０を収容板７５０に巻き収容させて、火事時に煙と熱によって前記防煙用スクリーン部材７４０が開かれることができるように構成することもできる。
【００８２】
すなわち、本発明の第７実施例による防煙垂壁用スクリーン装置７００は、天井Ｃに一端が固定された防煙垂壁用ブラケット７２０の垂直片７２２に一端が固定される収容板７５０の他端に作動部７３０の係止用部材７３１に係止可能に形成されて、火事時に移動する熱によって短絡されることができる材質（ウッドメタル）で成形されたかけ片７４２を構成して、防煙スクリーン用部材７４０のスクリーン板７４１の一端は、前記収容板７５０と垂直片７２２との間に介させて固定して、他端は自由端を有するが、前記収容板７５０に巻かれるように収容させて具備することもできる。
【００８３】
このようになされた本発明の第６実施例による防煙垂壁用スクリーン装置の作動は、添付された図面の図１３乃至図１６に示されたところのように火事が発生されることによって煙が移動するようになって、これの煙と共に熱も共に移動することによって作動するようになる。
【００８４】
ここで、本発明の作動状態は、添付された図面の図１６に示されたところのように煙を感知することによって、スクリーン装置６００が作動することを説明する。
すなわち、前記のように火事時煙と熱が共に移動するようになると、通路の天井Ｃに設置された感知部６１０が煙を感知するようになる。
【００８５】
前記感知部６１０が煙を感知して、感知された信号を制御部６５０に印加するようになると、前記制御部６５０は防煙垂壁用固定ブラケット６２０の折曲片６２３の外側面に固定された作動部６３０側に制御信号、すなわち、電源印加させるようになる。
【００８６】
前記作動部６３０で電源が印加されれば、係止用部材６３１はソレノイド６３３内側に移動するようになる。
前記係止用部材６３１の移動で防煙用スクリーン部材６４０のかけ片６４２が係止片６３１ａから係止解除される。
【００８７】
前記かけ片６４２が係止片６３１ａから解除されることによって、図１６に示されたところのように防煙用スクリーン部材６４０は通路の底面Ｄに近接されるように開かれるようになる。
【００８８】
よって、移動する煙は、防煙用スクリーン部材６４０のスクリーン板６４１によって移動が遮られる。
この時避難者は、開かれた透明の防煙用スクリーン部材６４０のスクリーン板６４１を通過して進行方向の移動路を確保しながら避難すると良い。
【００８９】
一方、本発明は、前記した感知部６１０が故障などによって煙を感知することができなくなっても、煙と共に移動する熱によってスクリーン装置６００の作動は可能になるので、煙の移動を遮断させることができるようになる。
【００９０】
すなわち、火事時に煙と共に熱が移動すると、防煙用スクリーン部材６４０のスクリーン板６４１の他端に具備されるかけ片６４２の短絡片６４２ｂが熱によって短絡される。
前記短絡片６４２ｂが短絡されることによって図１４に示されたところのように防煙用スクリーン部材６４０は、通路の底面Ｄに近接されるように開かれるようになって、それによって煙を遮断させることができるようになる。
【００９１】
以上のように本発明は、煙によって作動するか、または熱によって作動するか、または煙を感知することと熱によって同時に作動して前記煙が移動することができる通路を閉鎖させることで煙の移動を速かに遮断させることができて煙の拡散前に避難者らが安全に避難することによる煙による窒息事故を防止することができるようになる。
【００９２】
添付された図面の図１９は、本発明の第８実施例による防煙垂壁用スクリーン装置が階段に設置された状態を示した一部断面処理された側面図であり、図２０は図１９に示された防煙垂壁用スクリーン装置の防煙用スクリーン部材が作動した状態を示した斜視図であり、図２１は図１９のＤ−Ｄ’線による断面図であり、図２２は作動状態を示した側面図である。
【００９３】
図示したところのように本発明による防煙垂壁用スクリーン装置８００は、階段Ｄの天井Ｃに設置されて火事時に発生される有害ガスの移動を遮断させるように天井Ｃに設置されて、火事時に発生される有害ガスを感知するために具備される感知部８１０と、該感知部８１０が有害ガスを有することに対応されるように電源が印加されて、作動可能になるように天井Ｃにブラケット（図示せず）を媒介に固定可能に具備される作動手段８２０と、該作動手段８２０に一端が係止されて、他端は天井Ｃに固定されて前記作動手段８２０の作動に対応されるように一端が回動可能に具備される回動手段８３０と、該回動手段８３０が回動することに対応されるように係止された状態で解除されて、一端が底面Ｄに近接されるように開かれるように一端が係止されて、他端は一端が天井Ｃにボルト（または、スクリュー）を媒介に固定された固定ブラケット８４０の他端に固定可能に具備される防煙用スクリーン部材８５０と、前記感知部８１０から感知された信号の印加を受けて、前記作動手段８２０側で電源を印加可能になるように具備される制御部８６０を含んでなされる。
【００９４】
以下で前記した本発明の第８実施例による防煙垂壁用スクリーン装置に対してより詳細に説明すると次のようである。
すなわち、本発明の第８実施例による防煙垂壁用スクリーン装置８００の感知部８１０は、図１９に示されたところのように火事時に発生される有害ガスを感知して、制御部８６０側に感知された信号を速かに印加できるように階段Ｄの天井Ｃに設置される。
【００９５】
前記した作動手段８２０は、前記防煙用スクリーン部材８５０の一端が解除可能に係止された回動手段８３０を制御部８６０から印加される電源によって作動して、前記回動手段８３０を加圧解除させるために具備される。
【００９６】
すなわち、前記した作動手段８２０は、添付された図面の図１９及び図２０に示されたところのように天井Ｃにスクリューを媒介に固定されるブラケットに内設されて、前記制御部８６０から印加される電源によっての前、後進作動される差動バー８２１を有する作動部８２２と、前記差動バー８２１の一端にピン（図面符号省略）を媒介で一端が回動可能に連結されて、中央下部は後述する回動手段８３０の支持バー８３５を貫通させるように貫通孔（図面符号省略）が形成された“」”形状の断面に具備される作動用連結部材８２３と、該作動用連結部材８２３の他端にピン（または、ベアリング）を媒介に回転可能になるように連結されて、外周面は前記回動手段８３０を加圧支持可能に具備される加圧ローラ８２４で構成される。
【００９７】
前記した回動手段８３０は、図１９乃至図２１に示されたところのように一端は天井Ｃに固定されて、他端は作動手段８２０が作動することによって回動可能に具備されて、防煙用スクリーン部材８５０を係止解除させるように具備される。
【００９８】
すなわち、前記した回動手段８３０は、天井Ｃに所定距離が離隔されてスクリュー（図示せず）を媒介で一端がそれぞれ固定可能に具備される固定片８３１と、該固定片８３１の他端を両面内側に挿入させて具備されることによって前面に加圧ローラ８２４が支持されて、前記加圧ローラ８２４が移動することに対応されるように自重によって回転可能になるように両側面には挿入溝８３２が形成されて、前面下端部には前記防煙用スクリーン部材８５０を係止させることができるように一定間隔に多数個のかけ片８３３が形成されて具備される回動部材８３４と、前記固定片８３１の中間部に両端がそれぞれ溶接によって連結されて、前記作動用連結部材８２３の貫通孔を貫通可能に具備される支持バー８３５で構成される。
【００９９】
ここで、前記したかけ片８３３の末端は、図１９及び図２０に示されたところのように前記防煙用スクリーン部材８５０が易しく離脱されないように所定の角度で上方向折曲されて具備される。
【０１００】
前記した防煙用スクリーン部材８５０は、図１９乃至図２１に示されたところのように前記作動手段８２０が駆動に対応されるように回動部材８３４が回動することによって、一端が前記かけ片８３３から離脱されて階段（通路）底に近接される部分まで開かれて階段を閉鎖させるが、避難者の移動が容易であるように構成される（図２２参照）。
【０１０１】
すなわち、防煙用スクリーン部材８５０は、前記回動部材８３４の長さと同一な幅で具備されて、他端は天井Ｃに固定された固定ブラケット８４０にスクリュー（図示せず）のような部材を媒介に固定されて、一端は防煙用スクリーン部材８５０が階段Ｄ（通路）底に近接される部分まで開かれることに対応されるように避難者が容易で速かに避難可能になるように一定間隔に切開されることによって多数個の防煙用スクリーン片８５１が形成されて具備されて、前記防煙用スクリーン片８５１の末端には回動部材８３４のかけ片８３３を貫通させて、係止されるように係止ホール８５２が穿孔されて具備される。
【０１０２】
また、前記したそれぞれの防煙用スクリーン片８５１の中間部には図１９及び図２０に示されたところのように、かけ片８３３に係止させて防煙用スクリーン部材８５０が設置されることによって通行者の移動を邪魔しないように係止用リング８５３を固定させることができるように固定ホール（図面符号省略）がそれぞれ形成されて具備される。
【０１０３】
ここで、前記した係止用リング８５３は、前記かけ片８３３に係止時に防煙用スクリーン片８５１に形成された固定ホールから離脱されることを防止するように、一端は固定板８５３ａが形成されて、他端はかけ片８３３を貫通させるように中央部にホールが穿孔されたリング片８５３ｂで構成される。
【０１０４】
また、前記した防煙用スクリーン部材８５０は、前記実施例らと同一に開かれることによる避難者が移動路を見られるように透明に具備されると共に避難者に傷害を加えないようにポリエステル樹脂などでフレキシブルに成形されて具備される。
【０１０５】
一方、前記した本発明の第８実施例でのように作動手段８２０は、制御部８６０から印加される電源によっての前、後進作動される差動バー８２１を有する作動部８２２と、前記差動バー８２１の一端にピンを媒介で一端が回動可能に連結されて、中央下部は支持バー８３５を貫通させて具備される作動用連結部材８２３と、該作動用連結部材８２３の他端には回動部材８３４を加圧支持可能に具備される加圧用ローラ８２４で構成されているが、これに限定するものではなくて、図２３及び図２４に示されたところのように差動バーに直接回動部材の回動部材を加圧支持する加圧ローラを具備して構成することもできる。
【０１０６】
すなわち、本発明の第９実施例による防煙垂壁用スクリーン装置９００の作動手段９２０は、スクリューを通じて天井Ｃに固定されるブラケットに内設されて、天井に設置された感知部９１０から感知された信号の印加を受けることができるように天井に埋設されて具備される制御部９６０から印加される電源によって前、後進移動可能な差動バー９２１を取り揃えて具備される作動部９２２と、前記差動バー９２１の一端にピンを媒介に回転可能に具備されて、一端が天井に固定されて、他端は自重によって回動可能に具備される回動手段９３０の回動部材９３１を加圧支持するように具備される加圧ローラ９２３で構成される。
【０１０７】
よって、前記作動手段９２０が作動することによって差動バー９２１が後進移動することによる加圧ローラ９２３は、回動部材９３１を加圧解除させるようになって、それによって回動部材のかけ片９３１に係止された防煙用スクリーン部材９５０が図２４に示されたところのように階段（通路）底に近接される部分まで開かれるようになる。
【０１０８】
このように構成された本発明の第８実施例による防煙垂壁用スクリーン装置８００の作動は、添付された図面の図１９乃至図２２に示されたところのように火事時有害ガスが発生されれば、天井Ｃに有害ガスを感知するために具備された感知部８１０は、これを感知するようになる。
【０１０９】
前記感知部８１０の感知によって制御部８６０は、作動手段８３０側で制御信号、すなわち、電源を印加するようになる。
電源印加によって前記作動手段８３０の差動バー８２１が作動部８２２側に移動するようになる。
【０１１０】
前記差動バー８２１が移動することによって、支持バー８３５に回動可能に具備された作動用連結部材８２３が回動するようになる。
前記作動用連結部材８２３の回動で回動手段８３０の回動部材８３４は、加圧ローラ８２４から加圧解除されることにより自重と共に防煙用スクリーン部材８５０の重さによって下向き回動するようになる。
【０１１１】
前記回動部材８３４が回動することによってかけ片８３３に、一端が係止された防煙用スクリーン部材８５０の防煙用スクリーン片８５１がかけ片８３３から離脱されて、併せて、前記防煙用スクリーン片８５１の中間部に具備された係止用リング８５３がかけ片８３３から離脱されることによって、防煙用スクリーン片８５１が完全に、すなわち、図２２に示されたところのように階段の階段Ｄの底に近接されるように開かれる。
【０１１２】
このように防煙用スクリーン部材８５０が開かれることによって有害ガスは遮られる。
よって、本発明の第８実施例による防煙垂壁用スクリーン装置は、火事時有害ガスの移動を遮断させると共に透明なポリエステル樹脂で形成された防煙用スクリーン部材を通過して安全で速かに避難者は避難移動することができるようになる。
【０１１３】
また、本発明の第９実施例による防煙垂壁用スクリーン装置９００の作動は、作動手段９２０だけが違って、残りは上述した第８実施例と同一であるので、それに対する作用説明は略することにする。
【０１１４】
以上で説明した本発明は、前述した実施例及び添付された図面によって限定されるものではなくて、本発明の技術的思想を脱しない範囲内でさまざまな置き換え、変形及び変更が可能であることは本発明が属する技術分野で通常の知識を有した者において明白であろう。
【図１】
2012503521.tif 000003
【図２】
2012503521.tif 000004
【図３】
2012503521.tif 000005
【図４】
2012503521.tif 000006
【図５】
2012503521.tif 000007
【図６】
2012503521.tif 000008
【図７】
2012503521.tif 000009
【図８】
2012503521.tif 000010
【図９】
2012503521.tif 000011
【図１０】
2012503521.tif 000012
【図１１】
2012503521.tif 000013
【図１２】
2012503521.tif 000014
【図１３】
2012503521.tif 000015
【図１４】
2012503521.tif 000016
【図１５】
2012503521.tif 000017
【図１６】
2012503521.tif 000018
【図１７】
2012503521.tif 000019
【図１８】
2012503521.tif 000020
【図１９】
2012503521.tif 000021
【図２０】
2012503521.tif 000022
【図２１】
2012503521.tif 000023
【図２２】
2012503521.tif 000024
【図２３】
2012503521.tif 000025
【図２４】
2012503521.tif 000026
【国際調査報告】
2012503521.tif 000027
2012503521.tif 000028
2012503521.tif 000029
2012503521.tif 000030